(57)【要約】  本開示のある特定の態様は、狭帯域インターネット・オブ・シングス（ＮＢ−ＩｏＴ）についてのパイロット設計のための方法および装置に関する。ある特定の態様では、方法は、概して、狭帯域通信のためにＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することと、１つまたは複数のトーンと決定されたバイナリコードシーケンスとを使用して、ＤＭＲＳを含むチャネルを送信することと、を含む。ある特定の態様では、バイナリコードシーケンスは、擬似ノイズ（ＰＮ）またはゴールドシーケンスのような、バイナリランダムシーケンスに基づいて決定され得る。
2019510401.tif 000002
【特許請求の範囲】
【請求項１】
ユーザ機器（ＵＥ）によるワイヤレス通信のための方法であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することと、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルを送信することと
を備える、方法。
【請求項２】
前記バイナリコードシーケンスは、アダマールシーケンスと前記バイナリランダムシーケンスとの積に基づいて決定される、請求項１に記載の方法。
【請求項３】
前記アダマールシーケンスは、長さ１６である、請求項２に記載の方法。
【請求項４】
前記アダマールシーケンスは、セルＩＤに依存する、請求項２に記載の方法。
【請求項５】
前記バイナリランダムシーケンスは、擬似ノイズ（ＰＮ）またはゴールドシーケンスを備える、請求項２に記載の方法。
【請求項６】
前記ＰＮまたはゴールドシーケンスは、前記バイナリコードシーケンスの第１のシンボルにおいてリセットされる、請求項５に記載の方法。
【請求項７】
前記擬似ノイズ（ＰＮ）およびゴールドシーケンスは、複数のセル間で共通であり、前記アダマールシーケンスは、セルＩＤに依存する、請求項５に記載の方法。
【請求項８】
前記バイナリコードシーケンスは、線形サイクリックコードからのコードワードと前記バイナリランダムシーケンスとの積に基づいて決定される、請求項１に記載の方法。
【請求項９】
前記バイナリコードシーケンスの長さは、前記チャネルのバンドリング長に少なくとも部分的に依存する、請求項１に記載の方法。
【請求項１０】
前記バイナリコードシーケンスは、高い最小ハミング距離を有するバイナリコードブロックから取得され、前記高い最小ハミング距離を有する前記バイナリコードブロックは、サイクリックコードブロックを備える、請求項１に記載の方法。
【請求項１１】
前記バイナリコードシーケンスは、既知の基底ベクトルのセットの線形結合として決定される、請求項１に記載の方法。
【請求項１２】
前記バイナリコードシーケンスは、直交列で形成されたアダマール行列から決定される、請求項１に記載の方法。
【請求項１３】
前記バイナリコードシーケンスは、少なくとも第１および第２のアダマール行列から決定され、前記第１のアダマール行列は、直交列と、前記第１のアダマール行列をフリッピングすることによって形成される前記第２のアダマール行列とで形成される、請求項１に記載の方法。
【請求項１４】
前記決定することは、
第１のトーン上でＤＭＲＳを送信するための第１のバイナリコードシーケンスが、直交列で形成された第１のアダマール行列から選択されることと、
第２のトーン上でＤＭＲＳを送信するための第２のバイナリコードシーケンスが、直交列で形成された第２のアダマール行列から選択されることと
を決定することを備える、請求項１に記載の方法。
【請求項１５】
前記第２のアダマール行列は、前記第１のアダマール行列をフリッピングすることによって形成される、請求項１４に記載の方法。
【請求項１６】
第１のトーン上でＤＭＲＳを送信するための第１のバイナリコードシーケンスが、第１のアダマール行列から選択され、
第２のトーン上でＤＭＲＳを送信するための第２のバイナリコードシーケンスがまた、前記第１のアダマール行列から選択される、請求項１に記載の方法。
【請求項１７】
システム情報ブロック（ＳＩＢ）メッセージを受信することをさらに備え、前記ＳＩＢメッセージは、ベースシーケンスのインジケーション（indication）を備え、前記バイナリコードシーケンスを決定することは、前記インジケーションに基づいている、請求項１に記載の方法。
【請求項１８】
前記バイナリコードシーケンスを決定することは、セルＩＤに基づいてベースシーケンスを決定することを備える、請求項１に記載の方法。
【請求項１９】
前記バイナリコードシーケンスの前記決定は、前記少なくとも１つのトーンが３トーンを備える場合、３サイクリックシフトに基づいており、前記バイナリコードシーケンスの前記決定は、前記少なくとも１つのトーンが６トーンを備える場合、４サイクリックシフトに基づいている、請求項１に記載の方法。
【請求項２０】
システム情報ブロック（ＳＩＢ）メッセージを受信することをさらに備え、前記ＳＩＢメッセージは、サイクリックシフトの数のインジケーションを備え、前記バイナリコードシーケンスを決定することは、前記インジケーションに基づいている、請求項１に記載の方法。
【請求項２１】
前記バイナリコードシーケンスは、前記少なくとも１つのトーンが３トーンを備える場合、１２のベースシーケンスから決定され、前記バイナリコードシーケンスは、前記少なくとも１つのトーンが６トーンを備える場合、１４のベースシーケンスから決定される、請求項１に記載の方法。
【請求項２２】
前記バイナリコードシーケンスは、周波数領域中の４位相シフトキーイング（ＱＰＳＫ）変調方式を用いて送信される、請求項１に記載の方法。
【請求項２３】
サイクリックシフトを前記バイナリコードシーケンスに適用することをさらに備え、前記サイクリックシフトは、セルＩＤ、ＵＥ ＩＤ、またはスロットインデックスのうちの少なくとも１つに基づいて決定される、請求項１に記載の方法。
【請求項２４】
前記１つまたは複数のサブフレームは、複数のサブフレームを備え、前記決定することは、前記サブフレームの各々のためにＤＭＲＳとして使用するための異なるバイナリコードシーケンスを決定することを備える、請求項１に記載の方法。
【請求項２５】
前記バイナリコードシーケンスは、スクランブリングシーケンスを使用してランダム化され、前記スクランブリングシーケンスは、セルＩＤ、ＵＥ ＩＤ、またはスロット番号のうちの少なくとも１つに基づいて決定される、請求項１に記載の方法。
【請求項２６】
前記１つまたは複数のトーンは、複数のトーンを備え、前記バイナリコードシーケンスを決定することは、前記複数のトーンの各々のために異なるバイナリコードシーケンスを決定することを備える、請求項１に記載の方法。
【請求項２７】
基地局によるワイヤレス通信のための方法であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）として使用するための候補である少なくとも１つのバイナリコードシーケンスを決定することと、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタすることと
を備える、方法。
【請求項２８】
前記バイナリコードシーケンスは、アダマールシーケンスと前記バイナリランダムシーケンスとの積に基づいて決定される、請求項２７に記載の方法。
【請求項２９】
前記アダマールシーケンスは、長さ１６である、請求項２８に記載の方法。
【請求項３０】
前記アダマールシーケンスは、セルＩＤに依存する、請求項２８に記載の方法。
【請求項３１】
前記バイナリランダムシーケンスは、擬似ノイズ（ＰＮ）またはゴールドシーケンスを備える、請求項２８に記載の方法。
【請求項３２】
前記ＰＮまたはゴールドシーケンスは、前記バイナリコードシーケンスの第１のシンボルにおいてリセットされる、請求項３１に記載の方法。
【請求項３３】
前記擬似ノイズ（ＰＮ）およびゴールドシーケンスは、複数のセル間で共通であり、前記アダマールシーケンスは、セルＩＤに依存する、請求項３１に記載の方法。
【請求項３４】
前記バイナリコードシーケンスは、線形サイクリックコードからのコードワードと前記バイナリランダムシーケンスとの積に基づいて決定される、請求項２７に記載の方法。
【請求項３５】
前記バイナリコードシーケンスの長さは、前記チャネルのバンドリング長に少なくとも部分的に依存する、請求項２７に記載の方法。
【請求項３６】
前記バイナリコードシーケンスは、高い最小ハミング距離を有するバイナリコードブロックから取得され、前記高い最小ハミング距離を有する前記バイナリコードブロックは、サイクリックコードブロックを備える、請求項２７に記載の方法。
【請求項３７】
前記バイナリコードシーケンスは、既知の基底ベクトルのセットの線形結合として決定される、請求項２７に記載の方法。
【請求項３８】
前記バイナリコードシーケンスは、直交列で形成された少なくとも第１のアダマール行列から決定される、請求項２７に記載の方法。
【請求項３９】
前記バイナリコードシーケンスは、少なくとも第１および第２のアダマール行列から決定され、前記第１のアダマール行列は、直交列と、前記第１のアダマール行列をフリッピングすることによって形成される前記第２のアダマール行列とで形成される、請求項２７に記載の方法。
【請求項４０】
第１のトーン上でＤＭＲＳを送信するための第１のバイナリコードシーケンスが、直交列で形成された第１のアダマール行列から選択され
第２のトーン上でＤＭＲＳを送信するための第２のバイナリコードシーケンスが、直交列で形成された第２のアダマール行列から選択される、請求項２７に記載の方法。
【請求項４１】
前記第２のアダマール行列は、前記第１のアダマール行列をフリッピングすることによって形成される、請求項４０に記載の方法。
【請求項４２】
第１のトーン上のＤＭＲＳのために決定される第１のバイナリコードシーケンスが、第１のアダマール行列から選択され、
第２のトーン上のＤＭＲＳのために決定される第２のバイナリコードシーケンスはまた、前記第１のアダマール行列から選択される、請求項２７に記載の方法。
【請求項４３】
システム情報ブロック（ＳＩＢ）メッセージを送信することをさらに備え、前記ＳＩＢメッセージは、前記バイナリコードシーケンスを決定するために使用されるベースシーケンスのインジケーションを備える、請求項２７に記載の方法。
【請求項４４】
前記バイナリコードシーケンスを決定することは、セルＩＤに基づいてベースシーケンスを決定することを備える、請求項２７に記載の方法。
【請求項４５】
前記バイナリコードシーケンスの前記決定は、前記少なくとも１つのトーンが３トーンを備える場合、３サイクリックシフトに基づいており、前記バイナリコードシーケンスの前記決定は、前記少なくとも１つのトーンが６トーンを備える場合、４サイクリックシフトに基づいている、請求項２７に記載の方法。
【請求項４６】
システム情報ブロック（ＳＩＢ）メッセージを送信することをさらに備え、前記ＳＩＢメッセージは、前記バイナリコードシーケンスを決定するために使用されるサイクリックシフトの数のインジケーションを備える、請求項２７に記載の方法。
【請求項４７】
前記バイナリコードシーケンスは、前記少なくとも１つのトーンが３トーンを備える場合、１２のベースシーケンスから決定され、前記バイナリコードシーケンスは、前記少なくとも１つのトーンが６トーンを備える場合、１４のベースシーケンスから決定される、請求項２７に記載の方法。
【請求項４８】
前記バイナリコードシーケンスは、周波数領域中の４位相シフトキーイング（ＱＰＳＫ）変調方式を用いて送信される、請求項２７に記載の方法。
【請求項４９】
前記モニタすることは、前記ＵＥによって前記バイナリコードシーケンスに適用されるサイクリックシフトに関してモニタすることを備え、前記サイクリックシフトは、セルＩＤ、ＵＥ ＩＤ、またはスロットインデックスのうちの少なくとも１つに基づいて決定される、請求項２７に記載の方法。
【請求項５０】
前記１つまたは複数のサブフレームは、複数のサブフレームを備え、前記決定することは、前記サブフレームの各々のためにＤＭＲＳとして使用するための異なるバイナリコードシーケンスを決定することを備える、請求項２７に記載の方法。
【請求項５１】
前記バイナリコードシーケンスは、スクランブリングシーケンスを備え、前記スクランブリングシーケンスは、セルＩＤ、ＵＥ ＩＤ、またはスロット番号のうちの少なくとも１つに基づいて決定される、請求項２７に記載の方法。
【請求項５２】
前記１つまたは複数のトーンは、複数のトーンを備え、前記バイナリコードシーケンスを決定することは、前記複数のトーンの各々のために異なるバイナリコードシーケンスを決定することを備える、請求項２７に記載の方法。
【請求項５３】
ワイヤレス通信のための装置であって、
狭帯域通信のために前記ＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定するための手段と、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルを送信するための手段と
を備える、装置。
【請求項５４】
ワイヤレス通信のための装置であって、
狭帯域通信のためにユーザ機器（ＵＥ）に割り振られたリソースブロック（ＲＢ）内の１つまたは複数のトーンを使用して、１つまたは複数のサブフレーム上で前記ＵＥによって送信されるチャネルのために、復調基準信号（ＤＭＲＳ）として使用するための候補である少なくとも１つのバイナリコードシーケンスを決定するための手段と、ここにおいて、前記バイナリコードシーケンスは、バイナリランダムシーケンスに基づいて決定され、
前記１つまたは複数のトーンと前記決定されたバイナリコードシーケンスとを使用して、前記ＤＭＲＳを含む前記チャネルのために前記１つまたは複数のサブフレーム間の前記１つまたは複数のトーンをモニタするための手段と
を備える、装置。
【発明の詳細な説明】
【関連出願の相互参照】
【０００１】
[0001]  本特許出願は、２０１６年２月８日に出願された仮出願第６２／２９２，８３０号、２０１６年３月１６日に出願された仮出願第６２／３０９，３３１号、２０１６年３月２３日に出願された仮出願第６２／３１２，４５２号への優先権の利益を主張する、２０１７年１月４日に出願された米国特許出願第１５／３９７，９３４への優先権を主張し、その全体が参照により本明細書に明示的に組み込まれている。
【技術分野】
【０００２】
[0002]  本願は、概して、ワイヤレス通信（wireless communication）に関し、より具体的には、狭帯域インターネット・オブ・シングス（ＮＢ−ＩｏＴ：Narrow-Band Internet of Things）のためのパイロット設計（pilot design）のための方法および装置に関する。
【背景技術】
【０００３】
[0003]  ワイヤレス通信システムは、電話、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを提供するために様々な電気通信規格において採用されている。新生の電気通信規格の一例は、ロングタームエボリューション（ＬＴＥ（登録商標）：Long Term Evolution）である。ＬＴＥ／ＬＴＥ−Ａｄｖａｎｃｅｄは、第３世代パートナーシップ・プロジェクト（３ＧＰＰ（登録商標））によって公表されたユニバーサルモバイル電気通信システム（ＵＭＴＳ）のモバイル規格を強化したもののセットである。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]  本開示のシステム、方法、およびデバイスは各々、いくつかの態様を有し、これらのうちのいずれも、その望ましい属性を単独で担うものではない。下記の特許請求の範囲によって示される本発明の範囲を限定することなく、いくつかの特徴が簡潔に説明されるだろう。この説明を考慮した後、および特に「詳細な説明」と題したセクションを読んだ後、当業者であれば、本開示の特徴が、どのようにワイヤレスネットワークにおけるアクセスポイントと局の間の改善された通信を含む利点を提供するかを理解するであろう。
【０００６】
[0006]  本開示は、概して、ワイヤレス通信に関し、より具体的には、狭帯域インターネット・オブ・シングス（ＮＢ−ＩｏＴ）のためのパイロット設計に関する。
【０００７】
[0007]  本開示のある特定の態様は、ユーザ機器（ＵＥ：user equipment）によるワイヤレス通信のための方法を提供する。方法は、概して、狭帯域通信（narrowband communication）のためにＵＥに割り振られた（allocated）リソースブロック（ＲＢ：resource block）内の１つまたは複数のトーン（tone）を使用して、１つまたは複数のサブフレーム（subframe）上で送信されるチャネルのために、復調基準信号（ＤＭＲＳ：demodulation reference signal）として使用するための少なくとも１つのバイナリコードシーケンス（binary code sequence）を決定することと、ここにおいて、バイナリコードシーケンスは、バイナリランダムシーケンス（binary random sequence）に基づいて決定され、１つまたは複数のトーンと決定されたバイナリコードシーケンスとを使用して、ＤＭＲＳを含むチャネルを送信することとを含む。
【０００８】
[0008]  本開示のある特定の態様は、ワイヤレス通信のための装置を提供する。装置は、概して、狭帯域通信のためにＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することと、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルを送信ことと、を行うための少なくとも１つのプロセッサと、少なくとも１つのプロセッサに結合されたメモリとを含む。
【０００９】
[0009]  本開示のある特定の態様は、ワイヤレス通信のための装置を提供する。装置は、概して、狭帯域通信のためにＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定するための手段と、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルを送信するための手段とを含む。
【００１０】
[0010]  本開示のある特定の態様は、狭帯域通信のためにＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することと、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルを送信することと、を行うための命令を記憶したコンピュータ可読媒体（computer-readable medium）を提供する。
【００１１】
[0011]  本開示のある特定の態様は、基地局によるワイヤレス通信のための方法を提供する。方法は、概して、狭帯域通信のためにＵＥに割り振られたリソースブロック（ＲＢ）内の１つまたは複数のトーンを使用して、１つまたは複数のサブフレーム上でユーザ機器（ＵＥ）によって送信されるチャネルのために、復調基準信号（ＤＭＲＳ）として使用するための候補である少なくとも１つのバイナリコードシーケンスを決定することと、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルのために１つまたは複数のサブフレーム間の１つまたは複数のトーンをモニタする（monitor）ことと、を含む。
【００１２】
[0012]  本開示のある特定の態様は、ワイヤレス通信のための装置を提供する。装置は、概して、狭帯域通信のためにＵＥに割り振られたリソースブロック（ＲＢ）内の１つまたは複数のトーンを使用して、１つまたは複数のサブフレーム上でユーザ機器（ＵＥ）によって送信されるチャネルのために、復調基準信号（ＤＭＲＳ）として使用するための候補である少なくとも１つのバイナリコードシーケンスを決定することと、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルのために１つまたは複数のサブフレーム間の１つまたは複数のトーンをモニタすることと、を行うように構成されたプロセッサと、少なくとも１つのプロセッサに結合されたメモリとを含む。
【００１３】
[0013]  本開示のある特定の態様は、ワイヤレス通信のための装置を提供する。装置は、概して、狭帯域通信のためにＵＥに割り振られたリソースブロック（ＲＢ）内の１つまたは複数のトーンを使用して、１つまたは複数のサブフレーム上でユーザ機器（ＵＥ）によって送信されるチャネルのために、復調基準信号（ＤＭＲＳ）として使用するための候補である少なくとも１つのバイナリコードシーケンスを決定するための手段と、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルのために１つまたは複数のサブフレーム間の１つまたは複数のトーンをモニタするための手段と、を含む。
【００１４】
[0014]  本開示のある特定の態様は、概して、狭帯域通信のためにＵＥに割り振られたリソースブロック（ＲＢ）内の１つまたは複数のトーンを使用して、１つまたは複数のサブフレーム上でユーザ機器（ＵＥ）によって送信されるチャネルのために、復調基準信号（ＤＭＲＳ）として使用するための候補である少なくとも１つのバイナリコードシーケンスを決定することと、ここにおいて、バイナリコードシーケンスは、バイナリランダムシーケンスに基づいて決定され、１つまたは複数のトーンと決定されたバイナリコードシーケンスとを使用して、ＤＭＲＳを含むチャネルのために１つまたは複数のサブフレーム間の１つまたは複数のトーンをモニタすることと、を行うための命令を記憶したコンピュータ可読媒体を提供する。
【００１５】
[0015]  本開示の他の態様、特徴、および実施形態は、添付の図面と併せて、下記の本開示の具体的で例示的な態様の説明を検討する際に、当業者に対して明らかになるであろう。本開示の特徴は、以下のある特定の態様および図に関連して説明され得るが、本開示の全ての態様は、本明細書で説明される有利な特徴の１つまたは複数を含むことができる。言い換えると、１つまたは複数の態様は、ある特定の有利な特徴を有するものとして説明され得るが、そのような特徴の１つまたは複数はまた、本開示の様々な態様に従って使用され得る。同様の方法で、例示的な態様は、デバイス、システム、または方法の態様として以下に説明され得るが、そのような例示的な態様が、様々なデバイス、システム、および方法において実装され得ると理解されるべきである。
【００１６】
[0016]  上述した本開示の特徴を詳細に理解できるように、上記では簡潔に概要を述べた、より具体的な説明が、そのいくつかが付属の図面に示されている態様を参照することにより、行われる。添付の図面は、本開示のある特定の典型的な態様のみを例示しており、従って、その説明は、他の同等に効果的な態様を認め得るため、その範囲を限定するものと考慮されるべきではない。
【図面の簡単な説明】
【００１７】
【図１】[0017]  図１は、ネットワークアーキテクチャの一例を示す図である。
【図２】[0018]  図２は、アクセスネットワークの一例を示す図である。
【図３】[0019]  図３は、ロングタームエボリューション（ＬＴＥ）におけるダウンリンク（ＤＬ：downlink）フレーム構造の例を示す図である。
【図４】[0020]  図４は、ＬＴＥにおけるアップリンク（ＵＬ：uplink）フレーム構造の例を示す図である。
【図５】[0021]  図５は、ユーザプレーンおよび制御プレーンのための無線プロトコルアーキテクチャの一例を示す図である。
【図６】[0022]  図６は、本開示のある特定の態様に従った、アクセスネットワーク内の発展型ノードＢおよびユーザ機器（ＵＥ）の例を示す図である。
【図７】[0023]  図７は、本開示のある特定の態様に従った、狭帯域インターネット・オブ・シングス（ＮＢ−ＩｏＴ）の例示的な展開（deployment）を示す図である。
【図８】[0024]  図８は、本開示のある特定の態様に従った、ワイヤレス通信のためにＵＥによって行われる例示的な動作を示す図である。
【図９】[0025]  図９は、本開示のある特定の態様に従った、ワイヤレス通信のために基地局によって行われる例示的な動作を図示する。
【００１８】
[0026]  理解を容易にするため、可能な場合、図面に共通している同一の要素を指定するために同一の参照番号が使用されている。１つの態様で開示された要素は、具体的な説明がなくとも、他の態様において効果的に使用され得ることが予期される。
【詳細な説明】
【００１９】
[0027]  狭帯域インターネット・オブ・シングス（ＮＢ−ＩｏＴ）は、３ＧＰＰ標準化団体によって規格化されている技術である。この技術は、ＩｏＴのために特別に設計された狭帯域無線技術（narrowband radio technology）であり、それが名前の由来である。この規格の特に注目すべき点（Special focuses）は、屋内カバレッジ（indoor coverage）、低コスト（low cost）、長いバッテリ寿命（long battery life）、および多数のデバイス（large number of devices）を含む。ＮＢ−ＩｏＴ技術は、例えば、通常のロングタームエボリューション（ＬＴＥ）スペクトル、モバイル通信のためのグローバルシステム（ＧＳＭ（登録商標）：Global System for Mobile communications）スペクトル内のリソースブロックを利用する、「インバンド（in-band）」で展開され得る。加えて、ＮＢ−ＩｏＴは、ＬＴＥキャリアのガードバンド（guard-band）内の使用されていないリソースブロック（unused resource blocks）、または専用スペクトル（dedicated spectrum）での展開のための「スタンドアロン（standalone）」において展開され得る。本開示の態様は、概して、ＮＢ−ＩｏＴのための基準信号（reference signal）の送信のために使用されるバイナリコードシーケンスの設計に向けられている。
【００２０】
[0028]  下記において、添付の図面を参照し、本開示の様々な態様がより十分に説明される。しかしながら、本開示は、多くの異なる形式で具現化され得、本開示全体を通して提示される任意の具体的な構造または機能に限定されるものと解釈されるべきではない。むしろ、これらの態様は、本開示が徹底的かつ完全なものとなり、本開示の範囲が当業者に十分に伝わるように提供される。本明細書における教示に基づき、当業者は、本明細書に開示された開示の任意の態様が、本開示の他の何らかの態様と独立して実装されようと、それらと組み合わされて実装されようと、本開示の範囲は、それらの態様をカバーすることを意図していることを理解するべきである。例えば、本明細書に記載されている任意の数の態様を使用して、装置が実装され得るか、または方法が実施され得る。加えて本開示の範囲は、本明細書に記載されている開示の様々な態様に加えて、または本開示の様々な態様の他に、他の構造、機能、または構造および機能を使用して実施されるそのような装置または方法をカバーすることを意図している。本明細書で開示される開示のいずれの態様も、特許請求の範囲の１つまたは複数の要素によって具現化され得ることが理解されるべきである。「例示的な（exemplary）」という用語は、本明細書において「例、実例、または例示としての役割を果たす」という意味で用いられる。「例示的な」ものとして本明細書で説明されるいずれの態様も、必ずしも他の態様よりも好ましいまたは有利であると解釈されるべきでない。
【００２１】
[0029]  特定の態様が本明細書で説明されるが、これらの態様の多くの変形および置換が、本開示の範囲内に含まれる。好ましい態様のいくつかの利益および利点が述べられるが、本開示の範囲は、特定の利益、使用、または目的に限定されることを意図しない。むしろ、本開示の態様は、異なるワイヤレス技術、システム構成、ネットワーク、および送信プロトコルに広く適用可能であることを意図しており、そのうちのいくつかは、図面および好ましい態様の下記の説明において例として例示される。詳細な説明および図面は、限定ではなく、本開示の単なる例示であり、本開示の範囲は、添付の特許請求の範囲およびそれらの均等物によって定義されている。
【００２２】
[0030]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような様々なワイヤレス通信ネットワークのために使用され得る。「ネットワーク」および「システム」という用語は、しばしば互換的に使用される。ＣＤＭＡネットワークは、ユニバーサル地上無線アクセスシステム（ＵＴＲＡ）、ｃｄｍａ２０００などのような無線技術を実装し得る。ＵＴＲＡは、広帯域ＣＤＭＡ（Ｗ−ＣＤＭＡ（登録商標））およびローチップレート（ＬＣＲ：Low Chip Rate）を含む。ＣＤＭＡ２０００は、ＩＳ−２０００、ＩＳ−９５、およびＩＳ−８５６規格をカバーする。ＴＤＭＡネットワークは、モバイル通信のためのグローバルシステム（ＧＳＭ）のような無線技術を実装し得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭなどのような無線技術を実装し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを用いるＵＭＴＳのリリースである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して、他のオープン規格とより良く統合するように設計されている。ＬＴＥ、ＬＴＥアドバンスト、およびＬＴＥの他のリリースは、総称してＬＴＥと呼ばれる。ＵＴＲＡ、Ｅ−ＵＴＲＡ、ＧＳＭ、ＵＭＴＳ、およびＬＴＥは、「第３世代パートナーシップ・プロジェクト」（３ＧＰＰ）と呼ばれる団体からの文書で説明されている。ＣＤＭＡ２０００は、「第３世代パートナーシップ・プロジェクト２」（３ＧＰＰ２）と呼ばれる団体からの文書で説明されている。これらの通信ネットワークは、単に本開示で説明されている技術が適用され得るネットワークの例としてリスト化されるが、しかしながら、本開示は、上記の通信ネットワークに限定されるものではない。
【００２３】
[0031]  シングルキャリア周波数分割多元接続（ＳＣ−ＦＤＭＡ）は、送信機側ではシングルキャリア変調（single carrier modulation）を利用し、受信機側では周波数領域等化（frequency domain equalization）を利用する送信技法である。ＳＣ−ＦＤＭＡは、ＯＦＤＭＡシステムのそれらと同様の性能と本質的に同じ全体的な複雑性とを有する。しかしながら、ＳＣ−ＦＤＭＡ信号は、その特有のシングルキャリア構造により、より低いピーク対平均電力比（ＰＡＰＲ：peak-to-average power ratio）を有する。ＳＣ−ＦＤＭＡは、送信電力効率の観点から、特に、より低いＰＡＰＲがワイヤレスノードにとって非常に有益であるアップリンク（ＵＬ）通信において、大きな注目を集めている。
【００２４】
[0032]  本開示の態様は、ＮＢ−ＩｏＴのためのアップリンク設計のための方法および装置を提供する。
【００２５】
[0033]  アクセスポイント（「ＡＰ（access point）」）は、ノードＢ、無線ネットワークコントローラ（「ＲＮＣ」）、ｅＮｏｄｅＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の用語を備え得るか、これらとして実装されるか、または、これらとして既知であり得る。
【００２６】
[0034]  アクセス端末（「ＡＴ（access terminal）」））は、アクセス端末、加入者局、加入者ユニット、モバイル局、リモート局、リモート端末、ユーザ端末、ユーザエージェント、ユーザデバイス、ユーザ機器（ＵＥ）、ユーザ局、ワイヤレスノードで、または何らかの他の用語を備え得るか、これらとして実装されるか、または、これらとして既知であり得る。いくつかの実装では、アクセス端末は、セルラフォン、スマートフォン、コードレス電話、セッション開始プロトコル（ＳＩＰ：Session Initiation Protocol）電話、ワイヤレスローカルループ（ＷＬＬ）局、携帯情報端末（ＰＤＡ）、タブレット、ネットブック、スマートブック、ウルトラブック、ワイヤレス接続機能を有するハンドヘルドデバイス、局（ＳＴＡ）、またはワイヤレスモデムに接続された他の何らかの好適な処理デバイスを備え得る。従って、本明細書で教示される１つまたは複数の態様は、電話（例えば、セルラフォン、スマートフォン）、コンピュータ（例えば、デスクトップ）、ポータブル通信デバイス、ポータブルコンピューティングデバイス（例えば、ラップトップ、パーソナルデータアシスタント、タブレット、ネットブック、スマートブック、ウルトラブック）、ウェアラブルデバイス（例えば、スマートウォッチ、スマート／バーチャルリアリティメガネ／ゴーグル、スマート／バーチャルリアリティヘルメット／ヘッドセット、スマートブレスレット、スマートリストバンド、スマートリング、スマートジュエリ、スマート衣料など）、メディカルデバイスまたは機器、バイオメトリックセンサ／デバイス、エンターテイメントデバイス（例えば、音楽デバイス、ビデオデバイス、ステレオ無線、ゲーミングデバイスなど）、車両コンポーネントまたはセンサ、スマートメータ／センサ、工場生産機器、ポジショニング／ナビゲーションデバイス（例えば、ＧＰＳ、Ｂｅｉｄｏｕ、Ｇｌｏｎａｓｓ、Ｇａｌｉｌｅｏ、地上ベースなど）、あるいは、ワイヤレスまたはワイヤード媒体を介して通信するように構成された任意の他の適切なデバイスに組み込まれ得る。いくつかの態様では、ノードは、ワイヤレスノードである。ワイヤレスノードは、例えば、有線または無線通信リンクを介した、ネットワーク（例えば、インターネットまたはセルラ・ネットワークのような広域ネットワーク）のための接続、またはネットワークへの接続を提供し得る。いくつかのＵＥは、マシン・タイプ通信（ＭＴＣ：machine-type communication）のＵＥと見なされ得、それは、遠隔デバイスを含み得、基地局、別の遠隔デバイス、または何らかの他のエンティティと通信し得る。マシン・タイプ通信（ＭＴＣ）は、通信の少なくとも一端における少なくとも１つの遠隔デバイスを含む通信を指し、人間の関与（human interaction）を必ずしも必要としない１つまたは複数のエンティティを含む、データ通信の形式を含み得る。ＭＴＣ ＵＥは、例えば、公衆地上モバイル・ネットワーク（ＰＬＭＮ：Public Land Mobile Networks）を通してＭＴＣサービスおよび／または他のＭＴＣデバイスとＭＴＣ通信することができるＵＥを含み得る。ＭＴＣデバイスの例は、センサ、メータ、ロケーションタグ、モニタ、ドローン、ロボット／ロボットデバイスなどを含む。ＵＥの他のタイプ��同様にＭＴＣ ＵＥは、ＮＢ−ＩｏＴ（狭帯域インターネット・オブ・シングス）として実装され得る。
【００２７】
[0035]  複数の態様が３Ｇおよび／または４Ｇワイヤレス技術に共通して関連付けられた専門用語を使用して本明細書で説明される一方、本開示の態様は、５Ｇ以降のような他の世代ベースの通信システムに適用され得ることに留意されたい。
【００２８】
例示的なワイヤレス通信システム（EXAMPLE WIRELESS COMMUNICATIONS SYSTEM）
[0036]  図１は、本開示の態様が実施され得るＬＴＥネットワークアーキテクチャ１００を示す図である。例えば、ＵＥ１０２は、狭帯域通信のためにＵＥに割り振られたリソースブロック（ＲＢ）内の１つまたは複数のトーンを示す、ｅＮＢ１０６または１０８からのアップリンク許可（uplink grant）を受信し得る。ＵＥ１０２はその後、アップリンク許可において示される１つまたは複数のトーンを使用して送信する。
【００２９】
[0037]  ＬＴＥネットワークアーキテクチャ１００は、発展型パケットシステム（ＥＰＳ:Evolved Packet System）１００と呼ばれることがある。ＥＰＳ１００は、１つまたは複数のユーザ機器（ＵＥ）１０２、発展型ＵＭＴＳ地上波無線アクセスネットワーク（Ｅ−ＵＴＲＡＮ：Evolved UMTS Terrestrial Radio Access Network）１０４、発展型パケットコア（ＥＰＣ：Evolved Packet Core）１１０、ホーム加入者サーバ（ＨＳＳ：Home Subscriber Server）１２０、および事業者（Operator）のＩＰサービス１２２を含み得る。ＥＰＳは、他のアクセスネットワークと相互接続することができるが、簡略化のために、それらのエンティティ／インターフェースは図示していない。例示的な他のアクセスネットワークは、ＩＰマルチメディアサブシステム（ＩＭＳ）ＰＤＮ、インターネットＰＤＮ、アドミニストレイティブＰＤＮ（例えば、プロビジョニングＰＤＮ）、キャリア固有ＰＤＮ、オペレータ固有ＰＤＮ、および／またはＧＰＳ ＰＤＮを含み得る。図示されるように、ＥＰＳはパケット交換サービス（packet-switched service）を提供するが、当業者であれば容易に理解するように、本開示全体にわたって提示される様々な概念は、回線交換サービス（circuit-switched service）を提供するネットワークに拡張され得る。
【００３０】
[0038]  Ｅ−ＵＴＲＡＮは、発展型ノードＢ（ｅＮＢ）１０６および他のｅＮＢ１０８を含む。ｅＮＢ１０６は、ＵＥ１０２に対してユーザプレーンプロトコル終端と制御プレーンプロトコル終端とを提供する。ｅＮＢ１０６は、Ｘ２インターフェース（例えば、バックホール）を介して他のｅＮＢ１０８に接続され得る。ｅＮＢ１０６はまた、基地局、基地トランシーバ局、無線基地局、無線トランシーバ、トランシーバ機能、基本サービスセット（ＢＳＳ：basic service set）、拡張サービスセット（ＥＳＳ：extended service seｔ）、アクセスポイント、または何らかの他の好適な用語で呼ばれることもある。ｅＮＢ１０６は、ＵＥ１０２にＥＰＣ１１０へのアクセスポイントを提供する。ＵＥ１０２の例は、セルラフォン、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲームコンソール、タブレット、ネットブック、スマートブック、ウルトラブック、ドローン、ロボット、センサ、モニタ、メータ、カメラ／セキュリティカメラ、ゲーミングデバイス、ウェアラブルデバイス（例えば、スマートウォッチ、スマートメガネ、スマートリング、スマートブレスレット、スマートリストバンド、スマートジュエリ、スマート衣料など）、任意の他の同様の昨日デバイスなどを含む。ＵＥ１０２はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３１】
[0039]  ｅＮＢ１０６は、Ｓ１インターフェースによってＥＰＣ１１０に接続される。ＥＰＣ１１０は、モビリティ管理エンティティ（ＭＭＥ：Mobility Management Entity）１１２、他のＭＭＥ１１４、サービングゲートウェイ１１６、およびパケットデータネットワーク（ＰＤＮ：Packet Data Network）ゲートウェイ１１８を含む。ＭＭＥ１１２は、ＵＥ１０２とＥＰＣ１１０との間のシグナリングを処理する制御ノードである。概して、ＭＭＥ１１２はベアラおよび接続管理を提供する。全てのユーザＩＰパケットは、サービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割り振り、並びに他の機能を提供する。ＰＤＮゲートウェイ１１８は、事業者のＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含み得る。このように、ＵＥ１０２は、ＬＴＥネットワークを通じてＰＤＮに結合され得る。
【００３２】
[0040]  図２は、本開示の態様が実施され得るＬＴＥネットワークアーキテクチャ中のアクセスネットワーク２００の例を示す図である。例えば、ＵＥ２０６およびｅＮＢ２０４は、本開示の態様で説明されるＮＢ−ＩｏＴのための新規の送信方式を実装するための技法を実装するように構成され得る。
【００３３】
[0041]  この例では、アクセスネットワーク２００は、いくつかのセルラ領域（セル）２０２に分割される。１つまたは複数のより低い電力クラスのｅＮＢ２０８は、セル２０２のうちの１つまたは複数とオーバーラップするセルラ領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（例えば、ホームｅＮＢ（ＨｅＮＢ））、ピコセル、またはマイクロセルであり得る。マクロｅＮＢ２０４は各々、それぞれのセル２０２に割り当てられ、セル２０２内の全てのＵＥ２０６にＥＰＣ１１０へのアクセスポイントを提供するように構成される。アクセスネットワーク２００のこの例には集中型コントローラはないが、代替的な構成では集中型コントローラが使用され得る。ｅＮＢ２０４は、無線ベアラ制御、承認制御、モビリティ制御、スケジューリング、セキュリティ、およびサービングゲートウェイ１１６への接続を含む、全ての無線関連機能を担う。ネットワーク２００はまた、（図示されないが）１つまたは複数のリレー（relay）を含み得る。１つのアプリケーションによると、ＵＥは、リレーとしての役割を果たし得る。
【００３４】
[0042]  アクセスネットワーク２００によって採用される変調および多元接続方式は、展開されている特定の電気通信規格に応じて異なり得る。ＬＴＥアプリケーションでは、周波数分割複信（ＦＤＤ：frequency division duplexing）と時分割複信（ＴＤＤ：time division duplexing）との両方をサポートするために、ＯＦＤＭがＤＬ上で使用され、ＳＣ−ＦＤＭＡがＵＬ上で使用される。当業者であれば下記の詳細な説明から容易に理解するように、本明細書で提示される様々な概念は、ＬＴＥアプリケーションに好適である。しかしながら、これらの概念は、他の変調および多元接続技術を採用する他の電気通信規格に容易に拡張され得る。例として、これらの概念は、エボリューションデータオプティマイズド（ＥＶ−ＤＯ：Evolution-Data Optimized）またはウルトラ・モバイル・ブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシップ・プロジェクト２（３ＧＰＰ２）によって公表されたエアインターフェース規格であり、ＣＤＭＡを利用してモバイル局にブロードバンドインターネットアクセスを提供する。これらの概念はまた、広帯域ＣＤＭＡ（Ｗ−ＣＤＭＡ）と、ＴＤ−ＳＣＤＭＡ、ＴＤＭＡを採用するモバイル通信のためのグローバルシステム（ＧＳＭ）、および発展型ＵＴＲＡ（Ｅ−ＵＴＲＡ）のウルトラ・モバイル・ブロードバンド（ＵＭＢ）、ＩＥＥＥ８０２．１１（Ｗｉ−Ｆｉ）のようなＣＤＭＡの他の変形と、ＩＥＥＥ８０２．１６（ＷｉＭＡＸ）と、ＩＥＥＥ８０２．２０と、ＯＦＤＭＡを採用するフラッシュＯＦＤＭとを採用する、ユニバーサル地上無線アクセスシステム（ＵＴＲＡ）に拡張され得る。ＵＴＲＡ、Ｅ−ＵＴＲＡ、ＵＭＴＳ、ＬＴＥ、およびＧＳＭは、３ＧＰＰ団体からの文書で説明されている。ＣＤＭＡ２０００およびＵＭＢは、３ＧＰＰ２団体からの文書で説明されている。採用される実際のワイヤレス通信規格および多元接続技術は、特定のアプリケーションおよびシステムに課せられる全体的な設計制約に依存することになる。
【００３５】
[0043]  ｅＮＢ２０４は、ＭＩＭＯ技術をサポートする複数のアンテナを有し得る。ＭＩＭＯ技術の使用により、ｅＮＢ２０４は、空間多重化（spatial multiplexing）、ビームフォーミング（beamforming）、および送信ダイバーシティ（transmit diversity）をサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（例えば、振幅および位相のスケーリングを適用し）、次にＤＬ上で複数の送信アンテナを通じて空間的にプリコードされた各ストリームを送信することによって達成される。空間的にプリコードされたデータストリームは、異なる空間シグネチャとともにＵＥ２０６に到着し、これにより、それは、ＵＥ２０６の各々がそのＵＥ２０６に宛てられた１つまたは複数のデータストリームを復元することを可能にする。ＵＬ上で、各ＵＥ２０６は、空間的にプリコードされたデータストリームを送信し、それは、ｅＮＢ２０４が空間的にプリコードされた各データストリームのソースを識別することを可能にする。
【００３６】
[0044]  空間多重化は、概して、チャネル状態が良好であるときに使用される。チャネル状態があまり良好でないときは、送信エネルギを１つまたは複数の方向に集中させるためにビームフォーミングが使用され得る。これは、複数のアンテナを通して送信するためのデータを空間的にプリコードすることによって達成され得る。セルのエッジにおいて良好なカバレッジを達成するために、送信ダイバーシティと組み合わせてシングルストリームビームフォーミング送信（single stream beamforming transmission）が使用され得る。
【００３７】
[0045]  下記の詳細な説明では、ＤＬ上でＯＦＤＭをサポートするＭＩＭＯシステムを参照して、アクセスネットワークの様々な態様が説明される。ＯＦＤＭは、ＯＦＤＭシンボル（symbol）内のいくつかのサブキャリア（subcarrier）を介してデータを変調するスペクトル拡散技法である。サブキャリアは、精密な周波数で離間する。離間は、受信機がサブキャリアからデータを復元することを可能にする「直交性（orthogonality）」を提供する。時間領域では、ＯＦＤＭシンボル間干渉に対処するために、ガードインターバル（guard interval）（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３８】
[0046]  図３は、ＬＴＥにおけるＤＬフレーム構造の例を示す図３００である。フレーム（１０ｍｓ）は、０〜９のインデックスを有する１０個の等しいサイズのサブフレームに分割され得る。各サブフレームは、２つの連続するタイムスロット（time slot）を含み得る。２つのタイムスロットを表すためにリソースグリッド（resource grid）が使用され得、各タイムスロットはリソースブロックを含む。リソースグリッドは、複数のリソース要素（resource element）に分割される。ＬＴＥでは、リソースブロックは、周波数領域（frequency domain）中に１２個の連続するサブキャリアを含んでおり、各ＯＦＤＭシンボル中のノーマルサイクリックプレフィックス（normal cyclic prefix）に関して、時間領域中に７個の連続するＯＦＤＭシンボル、または８４個のリソース要素を含んでいる。拡張サイクリックプレフィックス（extended cyclic prefix）に関して、リソースブロックは、時間領域中に６個の連続するＯＦＤＭシンボルを含み、７２個のリソース要素を有する。Ｒ３０２、３０４として示されるように、リソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。従って、ＵＥが受信するリソースブロックが多いほど、また変調方式が高いほど、ＵＥのデータレートは高くなる。
【００３９】
[0047]  ＬＴＥでは、ｅＮＢは、ｅＮＢ中の各セルに関する１次同期信号（ＰＳＳ：primary synchronization signal）と２次同期信号（ＳＳＳ）とを送り得る。１次および２次同期信号は、ノーマルサイクリックプレフィックス（ＣＰ：cyclic prefix）で、各無線フレームのサブフレーム０および５の各々におけるシンボル期間６および５においてそれぞれ送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはある特定のシステム情報を搬送し得る。
【００４０】
[0048]  ｅＮＢは、各サブフレームの第１のシンボル期間において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ個）を搬送し得、ここで、Ｍは、１、２または３に等しくなり得、サブフレームごとに変化し得る。Ｍはまた、例えば、リソースブロックが１０個未満である、小さいシステム帯域幅（system bandwidth）では、４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割り振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００４１】
[0049]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨ、およびＰＨＩＣＨを送り得、特定のＵＥにユニキャスト方法でＰＤＣＣＨを送り得、また特定のＵＥにユニキャスト方法でＰＤＳＣＨを送り得る。
【００４２】
[0050]  各シンボル期間においていくつかのリソース要素が利用可能であり得る。各リソース要素（ＲＥ）は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。例えば、ＰＨＩＣＨのための３つのＲＥＧは、全てシンボル期間０に属し得るか、またはシンボル期間０、１、および２に拡散され得る。ＰＤＣＣＨは、例えば、最初のＭ個のシンボル期間中に利用可能なＲＥＧから選択され得る、９個、１８個、３６個、または７２個のＲＥＧを占有し得る。ＲＥＧのいくつかの組合せのみがＰＤＣＣＨに対して可能にされ得る。本方法および装置の態様では、サブフレームは、１より多いＰＤＣＣＨを含み得る。
【００４３】
[0051]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は通常、ＰＤＣＣＨに対して可能にされた組合せの数よりも少ない。ｅＮＢは、ＵＥが探索することになる組合せのいずれかにおいてＵＥにＰＤＣＣＨを送り得る。
【００４４】
[0052]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれない全てのリソースブロックを含み得る。ＵＬフレーム構造は、連続サブキャリアを含むデータセクションをもたらし、それは、単一のＵＥがデータセクション中の連続するサブキャリアの全てを割り当てることが可能になる。
【００４５】
[0053]  ＵＥには、ｅＮＢに制御情報を送信するために、制御セクション中のリソースブロック４１０ａ、４１０ｂが割り当てられ得る。ＵＥはまた、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００４６】
[0054]  初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブル（random access preamble）は、６つの連続するリソースブロックに対応する帯域幅を占有する。開始周波数は、ネットワークによって指定される。すなわち、ランダムアクセスプリアンブルの送信は、ある特定の時間リソースおよび周波数リソースに制限される。周波数ホッピングはＰＲＡＣＨには存在しない。ＰＲＡＣＨ試みは、単一のサブフレーム（１ｍｓ）中でまたは少数の連続したサブフレームのシーケンス中で搬送され、ＵＥは、フレーム（１０ｍｓ）ごとに単一のＰＲＡＣＨ試みだけを行うことができる。
【００４７】
[0055]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤで示される。レイヤ１、レイヤ２、およびレイヤ３によって示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００４８】
[0056]  ユーザプレーンでは、Ｌ２レイヤ５０８は、ネットワーク側のｅＮＢにおいて終端される、媒体アクセス制御（ＭＡＣ：media access control）サブレイヤ５１０、無線リンク制御（ＲＬＣ：radio link control）サブレイヤ５１２、およびパケットデータコンバージェンスプロトコル（ＰＤＣＰ：packet data convergence protocol）５１４サブレイヤを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含むいくつかの上位レイヤをＬ２レイヤ５０８の上に有し得る。
【００４９】
[0057]  ＰＤＣＰサブレイヤ５１４は、異なる無線ベアラと論理チャネルとの間の多重化を提供する。ＰＤＣＰサブレイヤ５１４はまた、無線送信オーバーヘッドを低減するために上位レイヤデータパケットのヘッダ圧縮（header compression）、データパケットを暗号化すること（ciphering）によるセキュリティ、およびＵＥに対するｅＮＢ間のハンドオーバサポートを提供する。ＲＬＣサブレイヤ５１２は、上位レイヤデータパケットのセグメント化およびリアセンブリと、紛失データパケットの再送信と、ハイブリッド自動再送要求（ＨＡＲＱ）による、順序が狂った受信を補正するデータパケットの並べ替えとを提供する。ＭＡＣサブレイヤ５１０は、論理チャネルとトランスポートチャネルとの間の多重化を提供する。ＭＡＣサブレイヤ５１０はまた、ＵＥの間で１つのセル内の様々な無線リソース（例えば、リソースブロック）を割り振ることを担う。ＭＡＣサブレイヤ５１０はまた、ＨＡＲＱ動作を担う。
【００５０】
[0058]  制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００５１】
[0059]  図６は、アクセスネットワークにおいてＵＥ６５０と通信するｅＮＢ６１０のブロック図であり、本開示の態様が実施され得る。
【００５２】
[0060]  ある特定の態様では、ＵＥ（例えば、ＵＥ６５０）は、アンテナポートのペアを組み合わせて、少なくとも第１および第２の組み合わせられたアンテナポートを生成する。各組み合わせられたポートに関して、ＵＥは、組み合わせられたアンテナポートのペアの各々のリソース要素（ＲＥ：Resource Element）で受信された基準信号を追加する。ＵＥは、次に、組み合わせられたポートに追加された基準信号に基づいて、各組み合わせられたアンテナポートのために、チャネル推定（channel estimate）を決定する。ある特定の態様では、組み合わせられたポートの決定されたチャネル推定に基づいて、組み合わせられたポートの各々に関して、ＵＥは、ペア中のデータＲＥ上で受信されるデータを処理する。
【００５３】
[0061]  ある特定の態様では、基地局（ＢＳ：Base Station）（例えば、ｅＮＢ６１０）は、大きいシステム帯域幅の狭帯域領域（narrow band region）中の送信のために、アンテナポートのペアを組み合わせて、少なくとも第１および第２の組み合わせられたアンテナポートを生成する。第１および第２の組み合わせられたアンテナポートの各々に関して、ＢＳは、組み合わせられたアンテナポートのペアの各々の対応するＲＥ上の同じデータを送信し、ここにおいて、受信側ＵＥは、第１および第２の組み合わせられたアンテナポートの各々についてのチャネル推定を決定し、その決定されたチャネル推定に基づいて、ペア中のＲＥで受信されたデータを処理する。
【００５４】
[0062]  本開示のある特定の態様に従ったＮＢ ＩｏＴのための新規の送信方式を実装するために、上述されたＵＥは、例えば、ＵＥ６５０における、コントローラ／プロセッサ６５９、ＲＸプロセッサ６５６、チャネル推定器（channel estimator）６５８、トランシーバ６５４のうちの１つまたは複数の組み合わせによって実装され得る。さらに、ＢＳは、ｅＮＢ６１０における、コントローラ６７５、ＴＸプロセッサ、トランシーバ６１８のうちの１つまたは複数の組み合わせによって実装され得る。
【００５５】
[0063]  ＤＬでは、コアネットワークからの上位レイヤパケットが、コントローラ／プロセッサ６７５に提供される。コントローラ／プロセッサ６７５は、Ｌ２レイヤの機能を実装する。ＤＬでは、コントローラ／プロセッサ６７５は、様々な優先度メトリックに基づいてヘッダ圧縮、暗号化、パケットのセグメント化および並べ替え、論理チャネルとトランスポートチャネルとの間の多重化、並びにＵＥ６５０への無線リソース割り振りを提供する。コントローラ／プロセッサ６７５はまた、ＨＡＲＱ動作と、紛失パケット（lost packet）の再送信と、ＵＥ６５０へのシグナリングとを担う。
【００５６】
[0064]  ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）、および様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングを容易にするために、コーディングとインターリービングとを含む。コード化され変調されたシンボルは次に、並列ストリームに分割される。各ストリームは、次にＯＦＤＭサブキャリアにマッピングされ、時間領域および／または周波数領域中で基準信号（例えば、パイロット）と多重化され、次に、時間領域ＯＦＤＭシンボルストリームを搬送する物理チャネルを生成するために、逆高速フーリエ変換（ＩＦＦＴ：Inverse Fast Fourier Transform）を使用して互いに組み合わせられる。ＯＦＤＭストリームは、複数の空間ストリームを生成するために空間的にプリコードされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。各空間ストリームは次に、別個の送信機６１８ＴＸを介して異なるアンテナ６２０に提供される。各送信機６１８ＴＸは、送信のためにそれぞれの空間ストリームでＲＦキャリアを変調する。
【００５７】
[0065]  ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに組み合わせられ得る。ＲＸプロセッサ６５６は次に、高速フーリエ変換（ＦＦＴ：Fast Fourier Transform)を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ６１０によって送信される、可能性が最も高い信号コンスタレーションポイント（most likely signal constellation point）を決定することによって復元され、復調される。これらの軟判定（soft decision）は、チャネル推定器６５８によって計算されるチャネル推定値に基づき得る。軟判定は次に、物理チャネル上でｅＮＢ６１０によって最初に送信されたデータおよび制御信号を復元するために復号され、デインターリーブされる。データおよび制御信号は次に、コントローラ／プロセッサ６５９に提供される。
【００５８】
[0066]  コントローラ／プロセッサ６５９は、Ｌ２レイヤを実装する。コントローラ／プロセッサは、プログラムコード（program code）とデータとを記憶するメモリ６６０に関連付けられ得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間での逆多重化（demultiplexing）、パケットリアセンブリ（packet reassembly）、暗号の復号（deciphering）、ヘッダ復元（header decompression）、および制御信号処理を提供する。上位レイヤパケットは次に、Ｌ２レイヤよりも上の全てのプロトコルレイヤを表すデータシンク６６２に提供される。また、様々な制御信号がＬ３処理のためにデータシンク６６２に与えられ得る。コントローラ／プロセッサ６５９はまた、ＨＡＲＱ動作をサポートするために肯定応答（ＡＣＫ：acknowledgement）および／または否定応答（ＮＡＣＫ：negative acknowledgement）プロトコルを使用した誤り検出を担う。
【００５９】
[0067]  ＵＬでは、データソース６６７は、コントローラ／プロセッサ６５９に上位レイヤパケットを提供するために使用される。データソース６６７は、Ｌ２レイヤよりも上の全てのプロトコルレイヤを表す。ｅＮＢ６１０によるＤＬ送信に関して説明した機能と同様に、コントローラ／プロセッサ６５９は、ヘッダ圧縮、暗号化、パケットのセグメント化および並べ替え、並びにｅＮＢ６１０による無線リソース割り振りに基づいた論理チャネルとトランスポートチャネルとの間の多重化を提供することによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００６０】
[0068]  ｅＮＢ６１０によって送信される基準信号またはフィードバックからの、チャネル推定器６５８によって導出されるチャネル推定値は、適切な符号化および変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に提供される。各送信機６５４ＴＸは、送信のためにそれぞれの空間ストリームでＲＦキャリアを変調する。
【００６１】
[0069]  ＵＬ送信は、ＵＥ６５０における受信機機能に関して説明したのと同様の方法でｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０に情報を提供する。ＲＸプロセッサ６７０は、Ｌ１レイヤを実装し得る。
【００６２】
[0070]  コントローラ／プロセッサ６７５は、Ｌ２レイヤを実装する。コントローラ／プロセッサ６７５は、プログラムコードとデータとを記憶するメモリ６７６に関連付けられ得る。メモリ６７６は、コンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の逆多重化、パケットリアセンブリ、復号、ヘッダ復元、および制御信号処理を行う。コントローラ／プロセッサ６７５からの上位レイヤパケットは、コアネットワークに提供され得る。コントローラ／プロセッサ６７５はまた、ＨＡＲＱ動作をサポートするためにＡＣＫおよび／またはＮＡＣＫプロトコルを使用した誤り検出を担う。コントローラ／プロセッサ６７５、６５９は、それぞれ、ｅＮＢ６１０における、およびＵＥ６５０における動作を指示し得る。
【００６３】
[0071]  ＵＥ６５０におけるコントローラ／プロセッサ６５９および／または他のプロセッサ、コンポーネントおよび／またはモジュールは、例えば、図８中の動作８００、および／または新規の送信方式を実装するために本明細書で説明される技法のための他の処理のような動作を行うか、または指示し得る。さらに、ｅＮＢ６１０におけるコントローラ／プロセッサ６７５および／または他のプロセッサ、コンポーネント、および／またはモジュールは、例えば、図９中の動作９００、および／または新規の送信方式を実装するために本明細書で説明された技法のための他の処理のような動作を行うか、または指示し得る。ある特定の態様では、図６中に示される任意のコンポーネントのうちの１つまたは複数は、本明細書で説明される技法のための例示的な動作８００と９００および／または他の処理を行うために用いられ得る。メモリ６６０および６７６は、ＵＥ６５０およびｅＮＢ６１０のうちの１つまたは複数の他のコンポーネントによってアクセス可能および実行可能である、ＵＥ６５０およびｅＮＢ６１０のためのデータおよびプログラムコードをそれぞれ記憶し得る。
【００６４】
狭帯域インターネット・オブ・シングス（ＮＢ−ＩｏＴ）（Narrow Band Internet-of-Things (NB-IoT)）
[0072]  インターネット・オブ・シングス（ＩｏＴ）は、例えば、電子技術、ソフトウェア、センサ、およびネットワーク接続（例えば、ワイヤレス、ワイヤライン、ポジショニングなど）に組み込まれた物理的オブジェクトまたは「モノ（things）」のネットワークであり、それらオブジェクトがデータを収集および交換することを可能にする。ＩｏＴは、既存のネットワークインフラストラクチャ上でオブジェクトが遠隔的に関知および制御されることを可能にし、現実の世界とコンピュータベースのシステムとの間のより直接的な統合のための機会を生み出し、改善された効率、精度、および経済的利益をもたらす。ＩｏＴがセンサおよびアクチュエータに拡大されるとき、その技術は、サイバーフィジカルシステム（cyber-physical systems）のより一般的クラスのインスタンスとなり、それはまた、スマートグリッド、スマートホーム、高度交通システム、およびスマートシティのような技術も含んでいる。各「モノ」は、概して、その組み込まれたコンピューティングシステムを通して一意に識別可能であるが、既存のインターネット・インフラストラクチャ内で同時使用することが可能である。
【００６５】
[0073]  狭帯域インターネット・オブ・シングス（ＮＢ−ＩｏＴ）は、３ＧＰＰ標準化団体によって規格化されている技術である。この技術は、ＩｏＴのために特別に設計された狭帯域無線技術であり、それが名前の由来である。この規格の特に注目すべき点は、屋内カバレッジ、低コスト、長いバッテリ寿命、および多数のデバイスにある。
【００６６】
[0074]  ＮＢ−ＩｏＴ技術は、例えば、通常のＬＴＥまたはＧＳＭスペクトル内のリソースブロックを利用する、「インバンド」で展開され得る。加えて、ＮＢ−ＩｏＴは、ＬＴＥキャリアのガードバンド内の使用されていないリソースブロック、または専用スペクトルでの展開のための「スタンドアロン」において展開され得る。
【００６７】
[0075]  データのアップリンクマルチトーン送信は、３トーン、６トーン、１２トーンについてサポートされ得る。送信ブロックは、時間内に１より多いリソースユニットを介してスケジューリングされることができる。
【００６８】
[0076]  ある特定のデバイスは、狭帯域インターネット・オブ・シングス（ＮＢ−ＩｏＴ）デバイスのような、システム帯域幅の狭帯域領域を使用して通信し得る。ＵＥの複雑性を低減するために、ＮＢ−ＩｏＴは、１つの物理リソースブロック（ＰＲＢ：Physical Resource Block）（１８０ｋＨｚ＋２０ｋＨｚのガードバンド）を利用する展開を可能にし得る。ＮＢ−ＩｏＴ展開は、例えば、ＮＢ−ＬＴＥとｅＭＴＣ（拡張または発展型マシンタイプ通信）との相互互換性、および低減されたフラグメンテーション（fragmentation）を可能にするために、ＬＴＥの上位レイヤコンポーネントおよびハードウェアを利用し得る。
【００６９】
[0077]  図７は、本開示のある特定の態様に従った、ＮＢ−ＩｏＴの例示的な展開７００を図示する。ある特定の態様によると、ＮＢ−ＩｏＴは、３つの幅広い構成で展開され得る。ある特定の展開では、ＮＢ−ＩｏＴは、インバンドで展開され、同じ周波数帯域内に展開されたレガシＧＳＭ／ＷＣＤＭＡ（登録商標）／ＬＴＥシステムと共存し得る。ワイドバンドＬＴＥチャネルは、例えば、１．４ＭＨｚ〜２０ＭＨｚの間の様々な帯域幅中で展開され、ＮＢ−ＩｏＴで使用するために利用可能な専用ＲＢ７０２が存在するか、または、ＮＢ−ＩｏＴのために割り振られたＲＢが動的に割り振られ得る（７０４）。インバンド展開では、ワイドバンドＬＴＥチャネルの１つのリソースブロック（ＲＢ）または２００ｋＨｚが、ＮＢ−ＩｏＴのために使用され得る。ＬＴＥ実装は、隣接するキャリア間の干渉に対してガードするための、キャリア間の無線スペクトルの使用されていない部分を含み得る。いくつかの展開では、ＮＢ−ＩｏＴは、ワイドバンドＬＴＥチャネルのガードバンド７０６中で展開され得る。他の展開では、ＮＢ−ＩｏＴは、スタンドアロン形式（図示されない）で展開され得る。スタンドアロン展開では、例えば、１つの２００ＭＨｚキャリアは、ＮＢ−ＩｏＴトラフィックを搬送するために利用され得、ＧＳＭスペクトルが再利用され得る。
【００７０】
[0078]  ＮＢ−ＩｏＴの展開は、周波数およびタイミング同期のためのＰＳＳと、システム情報を搬送するためのＳＳＳとのような同期信号を含み得る。本開示のある特定の態様によると、ＮＢ−ＩｏＴ動作の同期信号は、狭チャネル帯域幅を占有し、同じ周波数帯域中に展開されるレガシＧＳＭ／ＷＣＤＭＡ／ＬＴＥシステムと共存し得る。ＮＢ−ＩｏＴ動作は、ＰＳＳ／ＳＳＳタイミング境界を含み得る。ある特定の態様では、これらのタイミング境界は、（例えば、１０ｍｓの）レガシＬＴＥシステム中の既存のＰＳＳ／ＳＳＳフレーム境界と比較すると、例えば、４０ｍｓまで拡張され得る。タイミング境界に基づいて、ＵＥは、ＰＢＣＨ送信を受信することができ、それは、無線フレームのサブフレーム０において送信され得る。
【００７１】
[0079]  様々な変調方式がサポートされ得る。変調方式は、シングルトーン変調方式（single tone modulation scheme）、シングルキャリア周波数分割多重化（ＳＣ−ＦＤＭ：single-carrier frequency division multiplexing）を用いたマルチトーン変調方式（multi-tone modulation scheme）、情報がトーンポジションによっておよび１トーンで送信されるトーン位相シフトキーイング（ＴＰＳＫ：tone phase shift keying）を用いたマルチトーン変調方式、および低減されたピーク対平均電力比（ＰＡＰＲ）（例えば、０ｄＢ付近）を用いた制約された８−ＰＳＫ変調に対応する８バイナリ位相シフトキーイング（ＢＰＳＫ：binary phase shift keying）を含み得る。ダウンリンク制御情報（ＤＣＩ：downlink control information）が、変調方式並びにリソース割り振りを示すことが望ましいだろう。
【００７２】
狭帯域インターネット・オブ・シングス（ＮＢ−ＩＯＴ）のための例示的なパイロット設計
[0080]  無線アクセスネットワーク１（ＲＡＮ１）狭帯域（ＮＢ）インターネット・オブ・シングス（ＩｏＴ）アドホックでは、少なくとも周波数分割複信（ＦＤＤ）のためにシングルトーン送信（single-tone transmission）が８ｍｓを含み得ることが承認されている。データのためのＵＬマルチトーン送信はまた、３または４トーン送信を含み得る。３トーン送信のために４ｍｓリソースユニットサイズ（例えば、４サブフレーム）が使用され得、６トーン送信のために２ｍｓリソースユニットサイズ（例えば、２サブフレーム）が使用され得る。さらに、マルチトーンが割り振られたとき、ＱＰＳＫ変調方式がサポートされ得る。
【００７３】
[0081]  本開示のある特定の態様は、シングルトーンおよびマルチトーン送信のためのパイロット設計を提供する。
【００７４】
[0082]  図８は、本開示のある特定の態様に従った、ワイヤレス通信のための例示的な動作８００を図示する。動作８００は、ＵＥ（例えば、ＵＥ１０２、２０６、６５０）のようなＩｏＴデバイスによって行われ得る。
【００７５】
[0083]  動作８００は、８０２において、狭帯域通信のためにＵＥに割り振られたリソースブロック（ＲＢ）内の１つまたは複数のトーンを使用して、１つまたは複数のサブフレーム上で送信されるチャネルのために、復調基準信号（ＤＭＲＳ）として使用するための少なくとも１つのバイナリコードシーケンスを決定することによって開始し、ここにおいて、バイナリコードシーケンスは、バイナリランダムシーケンスに基づいて決定される。８０４において、ＩｏＴデバイスは、１つまたは複数のトーンと決定されたバイナリコードシーケンスとを使用して、ＤＭＲＳを含むチャネルを送信し得る。
【００７６】
[0084]  図９は、本開示のある特定の態様に従った、ワイヤレス通信のための例示的な動作９００を図示する。動作９００は、基地局（例えば、ｅＮＢ１０６、１０８、２０４、６１０）のようなＩｏＴデバイスによって行われ得る。
【００７７】
[0085]  動作９００は、９０２において、狭帯域通信のためにＵＥに割り振られたリソースブロック（ＲＢ）内の１つまたは複数のトーンを使用して、１つまたは複数のサブフレーム上でユーザ機器（ＵＥ）によって送信されるチャネルのために、復調基準信号（ＤＭＲＳ）として使用するための候補である少なくとも１つのバイナリコードシーケンスを決定することによって開始し、ここにおいて、バイナリコードシーケンスは、バイナリランダムシーケンスに基づいて決定される。９０４において、ＩｏＴデバイスは、１つまたは複数のトーンと決定されたバイナリコードシーケンスとを使用して、ＤＭＲＳを含むチャネルのために１つまたは複数のサブフレーム間の１つまたは複数のトーンをモニタする。
【００７８】
[0086]  ある特定の態様では、チャネルがシングルトーンを備える場合、システマティックバイナリシーケンス設計（systematic binary sequence design）は、ＤＭＲＳのために使用され得る。いくつかの場合には、バイナリコードシーケンスの長さは、チャネルのバンドリング長（bundling length）に依存し得る。シングルトーン送信に関して、ＤＭＲＳシーケンス長（sequence length）は、８、１６、３２、または（例えば、ＴＴＩバンドリングのケースでは）それ以上であり得る。システマティックバイナリシーケンスは、ＤＭＲＳシーケンスとして使用され得る。例えば、本明細書でより詳細に説明されるように、システマティックバイナリシーケンスは、アダマールシーケンス（Hadamard sequence）またはリードマラーシーケンス（Reed-Muller sequence）を含み得る。いくつかのケースでは、システマティックバイナリシーケンスは、良好な最小ハミング距離（good minimum Hamming distance）を用いて、バイナリコードブロック（binary code block）から取得され得る。
【００７９】
[0087]  例えば、長さ８のバイナリＤＭＲＳシーケンスに関して、このようなコードブロックの例は、下記のように、リードマラー符合（ＲＭ（１，３））によって取得され得る。
【００８０】
【数１】
2019510401.tif 000003
【００８１】
ここで、ｖ０、ｖ１、ｖ２、およびｖ３は、基底ベクトル（basis vector）であり、ｖ０は、全て１のベクトル（all 1 vector）である。このケースでは、最小距離（minimum distance）は、４であり得る。ＲＭ（１，３）は、１６個のコードワード（codeword）を有し、各々が長さ８である。１６個のコードワードは、８個のコードワードの２つのグループにグループ化され得、それは８×８アダマール行列（Hadamard matrix）（Ｈ８）と呼ばれることがある。８個のコードワードのグループの各々は、互いに直交であり得る。各コードワードは、下記のように、４つの基底ベクトルの線形結合（linear combination）であり得る。
【００８２】
【数２】
2019510401.tif 000004
【００８３】
ここで、２進法において、ｋ＝（ｉ０ｉ１ｉ２ｉ３）である。ｉ０がバイナリ０である場合、対応するコードワードＣＷｋは、例えば、（例えば、直交列（orthogonal columns）を有する）直交であり得、８×８アダマール行列を生成し得る。ｉ０が１である場合、対応するコードワードＣＷｋは、直交であり得、別のアダマール行列
【００８４】
【数３】
2019510401.tif 000005
【００８５】
（以下では、数３を「Ｈ８￣」と記す）を生成し得、ここで、Ｈ８￣＝−Ｈ８を生成し得る（例えば、フリッピングされる（flipped））。
【００８６】
[0088]  例えば、長さ８のバイナリＤＭＲＳシーケンスに関して、Ｈ８からのシーケンスが選択され得る。しかしながら、いくつかのケースでは、シーケンスは、別のオプションとしてＨ８￣から選択され得る。これは、リソースの８個のグループをもたらし得る。グループサイズを１６に増やすために、長さ８のシーケンスに関して、各々が長さ８の、２つのアダマールシーケンスが連結され得る。例えば、［Ｈ８：Ｈ８￣］からのシーケンスが選択され得る。しかしながら、このケースでは、シーケンスは、もはや直交ではない可能性があり得る。
【００８７】
[0089]  ある特定の態様では、シーケンスのグループは、十分に高い最小距離（high enough minimum distance）を有する別のバイナリコードブック（binary code-book）から選択され得る。例えば、シーケンスのグループは、サイクリックコードブロック（cyclic code block）から選択され得る。さらに、長さ８のシーケンスと同様に、他のシーケンス長のシステマティック設計（systematic design）のためのアダマール行列が使用され得る。例えば、１６×１６のアダマールシーケンス（Ｈ１６）は、各々が１６の長さを有する、シーケンスの１６個のグループを（例えば、ＤＭＲＳのために）取得するために使用され得る。
【００８８】
[0090]  ある特定の態様では、ＤＭＲＳシーケンスは、バイナリコードワード（例えば、アダマールまたはサイクリックコードのための）と、擬似ノイズ（ＰＮ：pseudo noise）またはゴールドシーケンス（Gold sequence）ベースのバイナリランダムシーケンス（例えば、アダマールシーケンスをランダム化する（randomize）ための）との要素ごとの積（element-wise product）を適用することによって設計され得る。例えば、いくつかのケースでは、要素ごとの積は、アダマールシーケンス（例えば、アダマール行列のうちの１つの行）と、ＰＮまたはゴールドシーケンスベースのバイナリランダムシーケンスとの積（product）を備え得る。いくつかのケースでは、要素ごとの積は、線形サイクリックコード（linear cyclic code）からのコードワードと、ＰＮまたはゴールドシーケンスベースのバイナリランダムシーケンスとの積を含み得る。ある特定の態様では、アダマールシーケンスまたは線形サイクリックコードが要素ごとの積のために使用されるかどうかは、シーケンスの数のシーケンス長に対する比に依存し得る。
【００８９】
[0091]  ある特定の態様では、ゴールドシーケンスまたはＰＮシーケンスは、（例えば、ｃｅｌｌ＿ｉｄ依存でない）複数のセル間で共通であり得る。ある特定の態様では、アダマールシーケンスまたは線形サイクリックコードからのコードワードは、ｃｅｌｌ＿ｉｄ依存（cell_id dependent）であり得る。いくつかのケースでは、符合分割多重化（ＣＤＭ）は、同じセル内で排除され得る。ある特定の態様では、ゴールドシーケンスまたはＰＮシーケンスは、バイナリコードシーケンス送信の第１のシンボルにおいてリセットされ得る。
【００９０】
[0092]  本開示のある特定の態様は、ＴＰＳＫを用いたマルチトーン割り振りのためのパイロット設計を提供する。ＴＰＳＫに関して、基準信号シーケンスは、シングルトーン割り振りのためのものと同じであり得る。例えば、いくつかの態様では、１６のシーケンス長に関して（例えば、各ホップにおいて８）、長さ８を用いたシングルトーンのためのシステマティック設計が各ホップのために使用され得る。例えば、あるサブキャリアでＨ８が使用され得、別のサブキャリアでＨ８￣が使用され得る。
【００９１】
[0093]  ある特定の態様では、長さ１６のための類似するシステマティックビットが、（例えば、１６×１６アダマール行列、Ｈ１６を使用して）使用され得る。このケースでは、１６シーケンスは直交であり得るが、しかしながら、それは、長さ８を有するシングルトーンのためのシステマティック設計が各ホップのために使用されるケース（例えば、あるサブキャリアにおける８と、別のサブキャリアのためのＨ８￣）ではない可能性がある。
【００９２】
[0094]  本開示のある特定の態様は、８−ＢＰＳＫを用いたマルチトーン送信のためのパイロット設計を提供する。８−ＢＰＳＫついて、基準信号は、８−ＢＰＳＫデータに相当する低いピーク対平均電力比（ＰＡＰＲ）を有し得る。ある特定の態様では、固定された既知の入力を有するデータに関して、同じ８−ＢＰＳＫ構成が使用され得る。入力信号は、システマティック構成を用いて決定され得る。例えば、１２×１２アダマールＨ１２は、１２トーンおよび１２のシーケンスのグループのために使用され得、各々が長さ１２である。
【００９３】
[0095]  本開示のある特定の態様は、概して、３、６、または１２トーンを有し得るマルチトーン送信（multi-tone transmission）のためのパイロット設計に向けられている。８−ＢＰＳＫ基準信号は、信号構成が８−ＢＰＳＫのためのものと同じであるマルチトーン送信のために設計され得る。ある特定の態様では、コンピュータ生成シーケンス（ＣＧＳ：computer generated sequence）は、マルチトーン送信のために、ＱＰＳＫ周波数領域基準信号のために使用され得る。３トーン送信のケースでは、シーケンスの総数は、ＱＰＳＫ用いた１６であり得る。ある特定の態様では、シーケンスの総数は、１２個のベースシーケンス（base sequence）であり得、６トーンシーケンスの省略されたバージョンではない新規のシーケンスであり得る。
【００９４】
[0096]  ある特定の態様では、基準信号の送信のためのバイナリコードシーケンスは、チャネルの残りの部分と比較して、異なる変調符号化方式に基づいて設計され得る。例えば、ＱＰＳＫまたは１６−ＱＡＭがデータ送信のために使用される場合、基準信号の送信のためのバイナリコードシーケンスは、８−ＢＰＳＫに基づいて設計され得る。
【００９５】
[0097]  ６トーン送信のケースでは、長さ６のＱＰＳＫシーケンスの可能性のある総数は、１０２４であり得る。いくつかのケースでは、６トーン送信に関して、シーケンスの総数は、１４であり得る。ＣＧＳは、ＰＡＰＲおよび相互相関特性を適用した後に取得され得る。いくつかの態様では、相互相関は、長さ６のシーケンスのための相互相関、同様に長さ６および１２／２４、およびいくつかの態様ではそれ以上のシーケンス間の相互相関を考慮し得る。１２およびそれ以上のシーケンス長は、近隣のセル中の１ＲＢ（およびそれ以上）の割り振りに対応し得る。
【００９６】
[0098]  １２サイクリックシフト（cyclic shifts）は、下記のように、６トーン送信に関して定義され得る。
【００９７】
【数４】
2019510401.tif 000006
【００９８】
ここで、ｓ（ｎ）は、ベースシーケンスであり、０≦ｎ＜６であり、αは、サイクリックシフトであり、０≦α＜１２である。いくつかの態様では、サイクリックシフトは、セルＩＤ（cell-ID）、ＵＥ ＩＤ、またはスロットインデックス（slot index）のうちの少なくとも１つに基づいて決定され得る。
【００９９】
[0099]  ある特定の態様では、（例えば、トーンの各数に関して）セル中の利用可能なベースシーケンスが、システム情報ブロック（ＳＩＢ：system information block ）メッセージによってＵＥに示される。しかしながら、いくつかのケースでは、利用可能なベースシーケンスはセルＩＤの関数であり得る。すなわち、利用可能なベースシーケンスは、それぞれのトーンの数に関するシーケンスの長さに基づいて変調されたセルＩＤであり得る。例えば、３トーン送信に関して、利用可能なベースシーケンスは、（例えば、シーケンス長が１２である場合）１２で変調されたセルＩＤであり得、６トーン送信に関して、シーケンスの数は、（例えば、シーケンス長が１４である場合）１４で変調されたセルＩＤであり得る。
【０１００】
[0100]  ある特定の態様では、３トーン送信のために３サイクリックシフトが使用され得、６トーンの送信のために４サイクリックシフトが使用され得る。いくつかのケースでは、サイクリックシフトは、ブロードキャストされたＳＩＢメッセージによって（例えば、ＤＣＩとは対照的に）ＵＥに示され得る。
【０１０１】
[0101]  各３トーンベースＤＭＲＳシーケンスに関して、３サイクリックシフトは、下記のように定義され得る。
【０１０２】
【数５】
2019510401.tif 000007
【０１０３】
ここで、ｒ（ｎ）はベースシーケンスであり、０≦ｎ＜３であり、αはサイクリックシフトであり、０≦ｎ＜３である。さらに、各６トーンベースＤＭＲＳシーケンスに関して、４サイクリックシフトは、下記のように定義され得る。
【０１０４】
【数６】
2019510401.tif 000008
【０１０５】
ここで、ｒ（ｎ）はベースシーケンスであり、０≦ｎ＜５であり、αはサイクリックシフトであり、０≦ｎ＜５である。
【０１０６】
[0102]  送信がバンドル（bundle）されるとき、全体のバンドルについて同じＤＭＲＳシーケンスを選択することは、異なるセルからのユーザの衝突をもたらし得る。本開示のある特定の態様は、概して、セル間干渉（inter-cell interference）を低減することに向けられている。例えば、シングルトーン送信に関して、スクランブリングシーケンス（scrambling sequence）は、干渉をランダム化するために使用され得る。いくつかの態様では、シングルトーン送信のために、異なるＤＭＲＳシーケンスがバンドル内の各バーストのために使用され得る。マルチトーン送信に関して、異なるＤＭＲＳシーケンスは、干渉をランダム化するために選択され得る。シングルトーンおよびマルチトーン送信に関して、ランダム関数は、セルＩＤ、ＵＥ ＩＤ、またはスロット番号（slot number）のうちの少なくとも１つに基づき得る。ある特定の態様では、スクランブリングシーケンスは、マルチトーン送信のためのＤＭＲＳを生成するために使用され得る。
【０１０７】
[0103]  ある特定の態様では、セル内干渉（intra-cell interference）は、サイクリックシフトを用いて低減され得る。このケースでは、サイクリックシフトは、セルＩＤ、ＵＥ ＩＤ、またはスロット番号のうちの少なくとも１つの関数であり得る。
【０１０８】
[0104]  本明細書に開示されている方法は、説明された方法を達成するための１つまたは複数のステップまたはアクションを備える。方法のステップおよび／またはアクションは、特許請求の範囲から逸脱することなく、互いに置き換えられ得る。言い換えると、ステップまたはアクションの特定の順序が指定されない限り、特定のステップおよび／またはアクションの順序および／または使用は、特許請求の範囲から逸脱することなく変更され得る。
【０１０９】
[0105]  本明細書で使用される場合、「または」という用語は、排他的な「または」ではなく、包括的な「または」を意味することを意図している。すなわち、そうではないと指定されない限り、またはコンテキスト明らかでない限り、例えば、「ＸはＡまたはＢを用いる」というフレーズは、自然な包括的置換のうちのいずれかを意味することを意図している。つまり、例えば、「ＸはＡまたはＢを使用する」というフレーズは、ＸがＡを使用する場合；ＸがＢを使用する場合；またはＸがＡとＢの両方を使用する場合のいずれによっても満たされる。本明細書で使用される場合、単数形の要素への参照は、特別にそのように記載されない限り「１つおよびただ１つ」を意味することを意図するものではなく、「１つまたは複数」を意味することを意図している。例えば、「ａ」や「ａｎ」といった冠詞は、本願明細書および添付の特許請求の範囲において使用される場合、一般的に、そうでないとの記載がない限り、または、単数形を指していることが文脈から明らかでない限り、「１つまたは複数」を意味するものと解釈されるべきである。特に明記されていない限り、「いくつかの」という用語は「１つまたは複数」を指す。本明細書で使用される場合、特許請求の範囲を含めて、「および／または」という表現は、２つ以上の項目のリストで使用されるとき、それ自体によって用いられ得るリスト化された項目のうちのいずれか１つ、またはリスト化された項目のうちの２つ以上のいずれかの組合せが用いられ得ることを意味する。例えば、構成がコンポーネントＡ、Ｂ、および／またはＣを含むと説明される際に、その構成は、Ａ単独；Ｂ単独；Ｃ単独；ＡおよびＢの組合せ；ＡおよびＣの組合せ；ＢおよびＣの組合せ；またはＡ、Ｂ、およびＣの組合せを含むことができる。本明細書で使用される場合、項目のリスト「〜のうちの少なくとも１つ」に関する表現は、単一のメンバを含む、それらの項目の任意の組み合わせを指す。例として、「Ａ、Ｂ、またはＣのうちの少なくとも１つ」は、ａ、ｂ、ｃ、ａ−ｂ、ａ−ｃ、ｂ−ｃ、およびａ−ｂ−ｃをカバーすることを意図し、同様に、複数の同じ要素（例えば、ａ−ａ、ａ−ｂ−ｂ、ｂ−ｂ−ｂ、ｂ−ｂ−ｃ、ｃ−ｃ、またはａ、ｂ、およびｃの他の順番）との組み合わせをカバーすることを意図する。
【０１１０】
[0106]  本明細書で使用される場合、「決定すること（determining）」という用語は、幅広いアクションを含む。例えば、「決定すること」は、算出すること、計算すること、処理すること、導出すること、調査すること、ルックアップすること（例えば、表、データベースまたは別のデータ構造においてルックアップすること）、確かめることなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【０１１１】
[0107]  いくつかの場合には、フレームを実際に送信するよりもむしろ、デバイスは、送信のためのフレームを出力するためのインターフェースを有し得る。例えば、プロセッサは、送信のためにＲＦフロントエンドに、バスインターフェースを介してフレームを出力し得る。同様に、フレームを実際に送信するよりもむしろ、デバイスは、別のデバイスから受信したフレームを取得するためのインターフェースを有し得る。例えば、プロセッサは、送信のためにＲＦフロントエンドから、バスインターフェースを介してフレームを取得（または受信）し得る。
【０１１２】
[0108]  上述された方法の様々な動作は、対応する機能を実行することが可能な任意の適切な手段によって実行され得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、図に示す動作がある場合、それらの動作は、同様の番号をもつ対応するもう一方のミーンズプラスファンクション構成要素を有し得る。
【０１１３】
[0109]  例えば、決定するための手段、モニタするための手段、示すための手段、および／または含むための手段は、処理システムを備え、それは、図６に示されるワイヤレス基地局６１０の、ＴＸプロセッサ６１６、送信機６１８、および／またはコントローラ／プロセッサ６７５、並びに／あるいは、図６に示されるユーザ機器６５０の、ＴＸプロセッサ６６８、送信機６５４、および／またはコントローラ／プロセッサ６５９のような、１つまたは複数のプロセッサを含み得る。送信するための手段、および／または送るための手段は、送信機を備え、それは、図６に示されるワイヤレス基地局６１０の、ＴＸプロセッサ６１６、送信機６１８、および／またはアンテナ６２０、並びに／あるいは、図６に示されるユーザ機器６５０の、ＴＸプロセッサ６６８、送信機６５４、および／またはアンテナ６５２を含み得る。受信するための手段は、受信機を備え、それは、図６に示されるワイヤレス基地局６１０の、ＲＸプロセッサ６７０、受信機６１８、および／またはアンテナ６２０、並びに／あるいは、図６に図示されるユーザ機器６５０の、ＲＸプロセッサ６５６、受信機６５４、および／またはアンテナ６５２を含み得る。
【０１１４】
[0110]  本開示に関連して説明された、様々な例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、またはそれらの任意の組み合わせを用いて、実装または実行され得る。汎用プロセッサはマイクロプロセッサであり得るが、代替として、プロセッサは、任意の商業的に利用可能なプロセッサ、コントローラ、マイクロコントローラ、またはステートマシンであり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１５】
[0111]  ハードウェアで実装される場合、例示的なハードウェア構成は、ワイヤレスノード中の処理システムを備え得る。処理システムは、バスアーキテクチャを用いて実装され得る。バスは、処理システムの特定の用途と全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、バスを介してネットワークアダプタを処理システムに接続するために使用され得る。このネットワークアダプタは、ＰＨＹレイヤの信号処理機能を実現するために使用され得る。ワイヤレスノードの場合には、ユーザインターフェース（例えば、キーパッド、ディスプレイ、マウス、ジョイスティックなど）もまた、バスに接続され得る。バスはまた、タイミングソース、周辺機器、電圧レギュレータ、電力管理回路などのような様々な他の回路もリンクさせ得、これらは、当該技術分野において周知であり、従ってこれ以上説明されない。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。当業者は、システム全体に課された特定の用途および全体的な設計の制約に依存して、処理システムについて説明された機能をどのように実装することが最善かを認識するだろう。
【０１１６】
[0112]  ソフトウェアで実装される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語と呼ばれる場合も、その他の名称で称される場合も、命令、データ、またはそれらの任意の組み合わせを意味するものとして広く解釈されるべきである。コンピュータ可読媒体は、ある場所から別の場所へのコンピュータプログラムの転送を容易にする任意の媒体を含む、コンピュータ記憶媒体と通信媒体の両方を含む。プロセッサは、バスの管理と、機械可読記憶媒体に記憶されたソフトウェアモジュールの実行を含む汎用処理とを担い得る。コンピュータ読取可能な記憶媒体は、プロセッサが記憶媒体から情報を読み取り、記憶媒体に情報を書き込むことができるように、プロセッサに結合され得る。代替として、記憶媒体はプロセッサに一体化され得る。例として、機械可読媒体は、伝送回線、データによって変調された搬送波、および／またはワイヤレスノードとは別個のコンピュータ可読記憶媒体を含み得るが、それらは全てバスインターフェースを介してプロセッサによりアクセスされ得る。代替的にまたは加えて、機械可読媒体、またはそのうちの任意の部分は、キャッシュおよび／または汎用レジスタファイルが用いられ得るようなケースに、プロセッサに組み込まれ得る。機械可読媒体の例は、例として、ＲＡＭ（ランダムアクセスメモリ）、フラッシュメモリ、位相メモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械読取可能な媒体は、コンピュータプログラム製品に組み込まれ得る。
【０１１７】
[0113]  ソフトウェアモジュールは、単一の命令または多数の命令を備えることがあり得、いくつかの異なるコードセグメントにわたって、異なるプログラム間で、および複数の記憶媒体にわたって、分散され得る。コンピュータ可読媒体は、多数のソフトウェアモジュールを備え得る。ソフトウェアモジュールは、プロセッサのような装置によって実行されるとき、様々な機能を処理システムに実行させる命令を含む。ソフトウェアモジュールは、送信モジュールと受信モジュールとを含み得る。各ソフトウェアモジュールは、単一の記憶デバイスに存在するか、または複数の記憶デバイスにわたって分散し得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次に、プロセッサによる実行のために、汎用レジスタファイルにロードされ得る。以下でソフトウェアモジュールの機能に言及する場合、そのような機能は、ソフトウェアモジュールからの命令を実行するとき、プロセッサによって実施されることが理解されるであろう。
【０１１８】
[0114]  また、任意の接続は、厳密にはコンピュータ可読媒体と呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用するディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ディスク（disks）は、通常、データを磁気的に再生し、ディスク（discs）は、データをレーザーで光学的に再生する。よって、いくつかの態様では、コンピュータ可読媒体は、非一時的なコンピュータ可読媒体（例えば、有体媒体）を備え得る。さらに、他の態様では、コンピュータ可読媒体は、一時的なコンピュータ読取可能な媒体（例えば、信号）を備え得る。上記の組合せもコンピュータ可読媒体の範囲内に含めるべきである。
【０１１９】
[0115]  よって、ある特定の態様は、本明細書で示された動作を行うためにコンピュータプログラム製品を備え得る。例えば、このようなコンピュータプログラム製品は、命令を記憶した（および／またはエンコードされた）コンピュータ可読媒体を備え得、その命令は、本明細書で説明された動作を実行するために１つまたは複数のプロセッサによって実行可能である。
【０１２０】
[0116]  さらに、本明細書で説明された方法および技法を実行するためのモジュールおよび／または他の適切な手段が、ダウンロードされ得る、および／または、そうでなければ、適用可能な場合、ワイヤレスノードおよび／または基地局によって取得されることが理解されるべきである。例えば、このようなデバイスは、本明細書で説明される方法を実行するための手段の転送を容易にするためにサーバに結合され得る。代替的に、本明細書で説明される様々な方法は、ワイヤレスノードおよび／または基地局が記憶手段をデバイスに結合または提供する際に様々な方法を取得し得るように、記憶手段（例えば、ＲＡＭ、ＲＯＭ、コンパクトディスク（ＣＤ）またはフロッピーディスクのような物理記憶媒体など）を介して提供され得る。さらに、本明細書で説明される方法および技法をデバイスに提供するために、任意の他の適切な技法が利用され得る。
【０１２１】
[0117]  特許請求の範囲は、上記に例示されたとおりの構成およびコンポーネントに限定されるものではないことが理解されるべきである。本願の特許請求の範囲から逸脱することなく、様々な変更、交換、および変形が、上述された方法および装置の配置、動作、および細部に対して行われ得る。
【図１】
2019510401.tif 000009
【図２】
2019510401.tif 000010
【図３】
2019510401.tif 000011
【図４】
2019510401.tif 000012
【図５】
2019510401.tif 000013
【図６】
2019510401.tif 000014
【図７】
2019510401.tif 000015
【図８】
2019510401.tif 000016
【図９】
2019510401.tif 000017
【国際調査報告】
2019510401.tif 000018
2019510401.tif 000019
2019510401.tif 000020